(57)【要約】【課題】術者や被検者の負担を軽減することが可能な眼科用手術顕微鏡を提供する。【解決手段】実施形態に係る眼科用手術顕微鏡は、観察系と、照射系と、前置レンズと、制御部とを含む。観察系は、対物レンズを介して被検眼を双眼で観察するために用いられる。照射系は、被検眼に光を照射するために用いられる。前置レンズは、観察系の光路及び照射系の光路に挿入可能である。制御部は、観察系の光路及び照射系の光路に挿入するための前置レンズの移動に対応して、照射系を制御する。【選択図】図７
2017217290.tif 000002
【特許請求の範囲】
【請求項１】
対物レンズを介して被検眼を双眼で観察するための観察系と、
前記被検眼に光を照射するための照射系と、
前記観察系の光路及び前記照射系の光路に挿入可能な前置レンズと、
前記観察系の光路及び前記照射系の光路に挿入するための前記前置レンズの移動に対応して、前記照射系を制御する制御部と、
を含む眼科用手術顕微鏡。
【請求項２】
前記観察系の光路及び前記照射系の光路から外れた所定の退避位置に前記前置レンズを保持する保持部と、
前記前置レンズが前記退避位置から移動されたことを検出する検出部と、
を含み、
前記制御部は、前記前置レンズの移動が前記検出部により検出されたことに対応して、前記照射系を制御する
ことを特徴とする請求項１に記載の眼科用手術顕微鏡。
【請求項３】
前記照射系は、前記光の波長を変更する波長変更部を含み、
前記制御部は、前記前置レンズの移動に対応して前記波長変更部を制御する
ことを特徴とする請求項１又は請求項２に記載の眼科用手術顕微鏡。
【請求項４】
前記照射系は、前記光のビーム径を変更するビーム径変更部を含み、
前記制御部は、前記前置レンズの移動に対応して前記ビーム径変更部を制御する
ことを特徴とする請求項１〜請求項３のいずれか一項に記載の眼科用手術顕微鏡。
【請求項５】
前記照射系は、
光路に挿入可能な分散補償部材と、
前記分散補償部材を移動する移動機構と、
を含み、
前記制御部は、前記前置レンズの移動に対応して前記移動機構を制御する
ことを特徴とする請求項１〜請求項４のいずれか一項に記載の眼科用手術顕微鏡。
【請求項６】
前記照射系は、
光コヒーレンストモグラフィ（ＯＣＴ）を行うための、測定アームと参照アームとを備えたＯＣＴ系と、
前記測定アーム及び前記参照アームの少なくとも一方の光路長を変更する光路長変更部と、
を含み、
前記制御部は、前記前置レンズの移動に対応して前記光路長変更部を制御する
ことを特徴とする請求項１〜請求項５のいずれか一項に記載の眼科用手術顕微鏡。
【請求項７】
前記制御部は、表示手段にグラフィカルユーザインターフェース（ＧＵＩ）を表示させ、前記前置レンズの移動に対応して、前記表示手段に表示させるＧＵＩの内容を変更する
ことを特徴とする請求項１〜請求項６のいずれか一項に記載の眼科用手術顕微鏡。
【請求項８】
前記照射系は、前記光を偏向する光スキャナを含み、
前記ＧＵＩは、前記光スキャナによる前記光の偏向パターンのリストを含み、
前記制御部は、前記前置レンズの移動に対応して、前記表示手段に表示されるリストを変更する
ことを特徴とする請求項７に記載の眼科用手術顕微鏡。
【請求項９】
前記観察系は、
前記対物レンズとしての左対物レンズを含む左観察系と、
前記対物レンズとしての右対物レンズを含む右観察系と、
を含み、
前記左対物レンズの光軸と前記右対物レンズの光軸とは非平行である
ことを特徴とする請求項１〜請求項８のいずれか一項に記載の眼科用手術顕微鏡。
【請求項１０】
前記観察系の焦点位置と前記前置レンズの後側焦点位置とを一致させるために前記対物レンズと前記前置レンズとの間に挿入される補助レンズを含む
ことを特徴とする請求項１〜請求項９のいずれか一項に記載の眼科用手術顕微鏡。
【発明の詳細な説明】
【技術分野】
【０００１】
本発明は、眼科用手術顕微鏡に関する。
【背景技術】
【０００２】
眼科分野の手術は、通常、顕微鏡観察下において行われる。このような眼科分野で用いられる眼科用手術顕微鏡については、例えば特許文献１〜特許文献３に開示されている。これら特許文献に開示された眼科手術用顕微鏡は、対物レンズと手術眼（被検眼）との間に前置レンズを挿脱させることにより当該手術眼の前眼部や後眼部を選択的に観察できるように構成されている。
【０００３】
特に、特許文献３に開示されている眼科用手術顕微鏡では、対物レンズと手術眼との間に前置レンズを配置させることにより、当該手術眼の眼底の断層像を取得することができるように構成されている。
【先行技術文献】
【特許文献】
【０００４】
【特許文献１】特開２００５−０００２１４号公報
【特許文献２】特開２００６−２９６８０６号公報
【特許文献３】特許第５２４３７７４号公報
【発明の概要】
【発明が解決しようとする課題】
【０００５】
しかしながら、手術中に対物レンズと手術眼との間に前置レンズを配置させると、顕微鏡内の光学条件が変更されてしまい、その都度、術者や助手が観察系の光学系や撮影系の光学系を調整する必要が生じる。それにより、手術時間が長くなり、術者（助手を含む）や患者（被検者）の負担が大きくなる。
【０００６】
本発明は、このような事情に鑑みてなされたものであり、その目的は、術者や被検者の負担を軽減することが可能な眼科用手術顕微鏡を提供することである。
【課題を解決するための手段】
【０００７】
実施形態に係る眼科用手術顕微鏡は、観察系と、照射系と、前置レンズと、制御部とを含む。観察系は、対物レンズを介して被検眼を双眼で観察するために用いられる。照射系は、被検眼に光を照射するために用いられる。前置レンズは、観察系の光路及び照射系の光路に挿入可能である。制御部は、観察系の光路及び照射系の光路に挿入するための前置レンズの移動に対応して、照射系を制御する。
【発明の効果】
【０００８】
本発明によれば、術者や被検者の負担を軽減することが可能な眼科用手術顕微鏡を提供することができる。
【図面の簡単な説明】
【０００９】
【図１】実施形態に係る眼科用手術顕微鏡の全体構成を示す概略図である。
【図２Ａ】実施形態に係る術者用顕微鏡の構成の一例を説明するための拡大図である。
【図２Ｂ】実施形態に係る術者用顕微鏡の構成の一例を説明するための拡大図である。
【図２Ｃ】実施形態に係る術者用顕微鏡の構成の一例を説明するための拡大図である。
【図３】実施形態に係る眼科用手術顕微鏡の光学系の構成の一例を示す概略図である。
【図４】実施形態に係る眼科用手術顕微鏡の光学系の構成の一例を示す概略図である。
【図５】実施形態に係る眼科用手術顕微鏡の光学系の構成の一例を示す概略図である。
【図６】実施形態に係る眼科用手術顕微鏡の光学系の構成の一例を示す概略図である。
【図７】実施形態に係る眼科用手術顕微鏡の制御系の構成の一例を示す概略図である。
【図８】実施形態に係る眼科用手術顕微鏡の動作例のフローを示す概略図である。
【図９】実施形態に係る眼科用手術顕微鏡の動作例のフローを示す概略図である。
【図１０】実施形態の第１変形例に係る眼科用手術顕微鏡の制御系の構成の一例を示す概略図である。
【図１１】実施形態の第３変形例に係る術者用顕微鏡の光学系の構成の一例を示す概略図である。
【発明を実施するための形態】
【００１０】
この発明に係る眼科用手術顕微鏡の実施形態の例について、図面を参照しながら詳細に説明する。なお、この明細書において引用された文献の記載内容や任意の公知技術を、以下の実施形態に援用することが可能である。
【００１１】
実施形態に係る眼科用手術顕微鏡は、眼科分野における診療や手術において被検眼の拡大像を観察（撮影）するために使用される。観察対象部位は、被検眼の任意の部位であってよく、例えば、前眼部においては角膜や隅角や硝子体や水晶体や毛様体などであってよく、後眼部においては網膜や脈絡膜や硝子体であってよい。また、観察対象部位は、瞼や眼窩など眼の周辺部位であってもよい。
【００１２】
実施形態に係る眼科用手術顕微鏡は、被検眼を拡大観察するための顕微鏡としての機能に加え、他の眼科装置としての機能を有する。他の眼科装置としての機能の例として、光コヒーレンストモグラフィ（以下、ＯＣＴ）、レーザ治療、眼軸長測定、屈折力測定、高次収差測定などがある。ＯＣＴは、被検眼の断層像や３次元画像の取得や、眼組織のサイズ（網膜厚等）の測定や、眼の機能情報（血流情報等）の取得などに使用される。レーザ治療は、網膜や隅角の光凝固治療などに使用される。他の眼科装置は、被検眼の検査や測定や画像化を光学的手法で行うことが可能な任意の構成を備える。以下の実施形態では、ＯＣＴ機能とレーザ治療機能とを顕微鏡に組み合わせた構成を説明する。特に、実施形態に係る眼科用手術顕微鏡は、公知のスウェプトソースＯＣＴの手法を用いて被検眼のＯＣＴ画像を取得することが可能である。スウェプトソース以外のタイプ、例えばスペクトラルドメインＯＣＴの手法を用いる眼科用手術顕微鏡に対して、この発明に係る構成を適用することも可能である。
【００１３】
以下、実施形態に係る眼科用手術顕微鏡は、グリノー式実体顕微鏡を備えているものとして説明するが、ガリレオ式実体顕微鏡を備えていてもよい。グリノー式実体顕微鏡を備えている場合、対物レンズの径を小さくできるため、光学設計や機構設計の自由度を向上させることが可能になる。ガリレオ式実体顕微鏡を備えている場合、双眼光学系が共通の対物レンズを備え、双眼光学系の左右の光軸が平行であるため、他の光学系や光学素子を組み合わせ易くすることが可能になる。
【００１４】
［構成］
〔眼科用手術顕微鏡の全体構成〕
図１に、実施形態に係る眼科用手術顕微鏡１の全体構成の概要を示す。眼科用手術顕微鏡１は、支柱２と、第１アーム３と、第２アーム４と、駆動装置５と、術者用顕微鏡６と、助手用顕微鏡７と、フットスイッチ８とを含む。支柱２は、眼科用手術顕微鏡１の全体を支持する。支柱２の上端には、第１アーム３の一端が接続されている。第１アーム３の他端には、第２アーム４の一端が接続されている。第２アーム４の他端には、駆動装置５が接続されている。術者用顕微鏡６は、駆動装置５により懸架されている。助手用顕微鏡７は、術者用顕微鏡６に付設されている。フットスイッチ８は、各種操作を術者等の足で行うために用いられる。駆動装置５は、術者等による操作に応じて、術者用顕微鏡６と助手用顕微鏡７とを上下方向（垂直方向）及び水平方向に３次元的に移動させるように作用する。被検眼（手術眼、患者眼）Ｅは、手術を受ける患者の眼である。図１において、前置レンズ９０は、術者用顕微鏡６の対物レンズ（後述）と被検眼Ｅとの間に配置されている。
【００１５】
術者用顕微鏡６は、各種光学系や駆動系などを収納する鏡筒部９を有する。鏡筒部９の上部には、左右一対の接眼部３０ａ（３０Ｌａ、３０Ｒａ）が設けられている。術者は、接眼部３０Ｌａ、３０Ｒａを覗き込んで被検眼Ｅを両眼で観察する。
【００１６】
術者用顕微鏡６には、前置レンズ９０が保持アーム９１を介して接続されている。保持アーム９１の上端部は垂直方向に回動可能に設けられており、前置レンズ９０を被検眼Ｅと対物レンズの前側焦点位置との間の位置から退避できるようになっている。この退避された前置レンズ９０及び保持アーム９１は、後述の収納部に収納可能に構成されている。
【００１７】
〔術者用顕微鏡の構成〕
図２Ａ〜図２Ｃに、図１の術者用顕微鏡６の構成の一例を説明するための拡大図を示す。図２Ａは、術者用顕微鏡６の外観側面図を表す。図２Ｂは、術者用顕微鏡６の外観正面図を表す。図２Ｃは、前置レンズ９０の収納態様を示す透視側面図を表す。術者用顕微鏡６は、本体部６ａと、鏡筒部９と、左右一対の接眼部３０ａ（３０Ｌａ、３０Ｒａ）とを含む。なお、図２Ｂでは、接眼部３０ａの図示は省略されている。前置レンズ９０は、保持アーム９１等を介して鏡筒部９に接続され、鏡筒部９に設けられた対物レンズと被検眼Ｅとの間に挿脱可能に設けられている。
【００１８】
本体部６ａには、術者用顕微鏡６の動作制御を行う制御回路や、この制御回路によって鏡筒部９を上下に微動させる駆動装置等が格納されている。鏡筒部９には、被検眼Ｅを照明・観察するための後述の光学系が格納されている。この光学系は、対物レンズを含む。
【００１９】
前置レンズ９０は、上述のように、保持アーム９１等を介して術者用顕微鏡６に接続されている。前置レンズ９０は、保持アーム９１の先端部に設けられた保持板９１ａに取り付けられている。
【００２０】
保持アーム９１と保持板９１ａとは、枢軸９１ｂを軸に回動可能に接続されている。保持板９１ａには傾斜部９１ｃが設けられている。保持アーム９１には、保持アーム９１を旋回させるための操作ノブ９２が設けられている。
【００２１】
術者用顕微鏡６には、更に、昇降アーム７１と、昇降アーム７１の下部に接続された接続部７１ｂと、接続部７１ｂに接続された上昇規制部材７２と、接続部７１ｂに挿通して設けられた連結ノブ７３と、収納部７４とが設けられている。昇降アーム７１の上部には、フリンジ部７１ａが設けられている。収納部７４は、上昇規制部材７２に着脱可能に設けられ、前置レンズ９０及び保持アーム９１を収納する。
【００２２】
保持アーム９１は、枢軸７４ａを軸に回動可能に収納部７４に設けられている。保持アーム９１の上部には、コイルスプリング７８が取り付けられている。なお、収納部７４が上昇規制部材７２に対して着脱可能とされているのは、手術後等に前置レンズ９０や保持アーム９１を滅菌するときに取り外す必要があるからである。また、前置レンズ９０等を取り外した状態においても、通常の手術用顕微鏡として利用することが可能である。以下、本段落に登場した各部材による構成をまとめて前置レンズ支持部と称することがある。
【００２３】
本体部６ａには、昇降アーム７１を支持する昇降アーム支持部材７６を上下方向に駆動するための駆動部７５が設けられている。昇降アーム７１は、昇降アーム支持部材７６を挿通して設けられている。また、昇降アーム７１は、フリンジ部７１ａにより昇降アーム支持部材７６からの落下が防止されている。結局、駆動部７５による昇降アーム支持部材７６の上下移動にしたがって前置レンズ９０が上下に移動され、鏡筒部９に設けられた対物レンズとの距離が相対的に変位されることとなる。このような構成により、鏡筒部９の上下微動とは独立して、前置レンズ９０のみを上下に移動させることが可能となる。
【００２４】
本体部６ａの下部には、上昇規制部材７２とともに前置レンズ支持部の上方への移動範囲を規制する上昇規制部材７７が取り付けられている。上昇規制部材７７には、連結ノブ７３を操作して前置レンズ支持部を本体部６ａに連結して固定するための連結穴７７ａが形成されている。前置レンズ支持部の本体部６ａへの連結は、駆動部７５により前置レンズ支持部を最も上の位置まで上昇させた後（このとき、連結ノブ７３の凸部７３ａと連結穴７７ａとの位置が合うようになっている。）、連結ノブ７３を所定の方向に回転操作して凸部７３ａを連結穴７７ａに嵌入することにより行われる。
【００２５】
図２Ａ及び図２Ｂには、術者用顕微鏡６の前置レンズ９０が被検眼Ｅと対物レンズとの間に挿入された状態（使用状態）が図示されている。術者は、前置レンズ９０の使用を止めてこれを退避させるときには、操作ノブ９２を把持して枢軸７４ａを軸に保持アーム９１を上方に旋回させることにより、前置レンズ９０及び保持アーム９１を収納部７４に収納する。一方、収納部７４に収納された前置レンズ９０を使用状態とするには、同じ要領で保持アーム９１を下方に旋回させる。
【００２６】
図２Ｃには、前置レンズ９０が収納部７４（収納位置）に収められた状態が図示されている。同図によれば、枢軸７４ａを軸として上方に旋回された前置レンズ９０及び保持アーム９１は、収納部７４の長手方向に沿って収納されるようになっている。また、保持板９１ａは、枢軸９１ｂを軸に回動されて、折り曲げられたような状態で収納される。これは、保持板９１ａの傾斜部９１ｃと、収納部７４の端部に取り付けられた接触部材７４ｂとの作用によるものである。すなわち、保持アーム９１が上方に旋回されると傾斜部９１ｃが接触部材７４ｂに接触し、傾斜部９１ｃの傾斜に案内されて保持板９１ａが枢軸９１ｂを軸に回動し、自動的に折り曲げられて収納されるよう構成されている。また、収納部７４には、前置レンズ９０が収納されているか否かを検出するためのマイクロスイッチ７９が設けられている。前置レンズ９０が収納部７４に収納されると、保持板９１ａの一部がマイクロスイッチ７９に接触してスイッチオン状態とされ、収納が解除されると接触状態も解除されてスイッチオフ状態とされる。
【００２７】
〔光学系の構成〕
次に、術者用顕微鏡６の鏡筒部９に格納されている光学系について、図３〜図６を参照して説明する。図３は後眼部を観察するときの光学系を示し、図４は前眼部を観察するときの光学系を示す。図５及び図６は、上記の「他の眼科装置としての機能」を提供するための光学系を示す。なお、後述の照射系４０の少なくとも一部は、鏡筒部９の上部に設けられていてもよい。
【００２８】
術者用顕微鏡６（眼科用手術顕微鏡１）は、照明系１０（左照明系１０Ｌ、右照明系１０Ｒ）と、受光系２０（左受光系２０Ｌ、右受光系２０Ｒ）と、接眼系３０（左接眼系３０Ｌ、右接眼系３０Ｒ）と、照射系４０とを含む。照射系４０は、ＯＣＴ系６０と、レーザ治療系８０とを含む。後眼部（網膜等）を観察するときには、被検眼Ｅの直前に前置レンズ９０が配置される。なお、図３に示すような非接触の前置レンズ９０の代わりにコンタクトレンズ等を用いることが可能である。また、隅角を観察するときにはコンタクトミラー（三面鏡等）等を用いることができる。
【００２９】
（照明系１０）
照明系１０は、被検眼Ｅに照明光を照射する。図示は省略するが、照明系１０は、照明光を発する光源や、照明野を規定する絞りや、レンズ系などを含む。照明系の構成は、従来の眼科装置（例えばスリットランプ顕微鏡、眼底カメラ、レフラクトメータ等）と同様であってよい。
【００３０】
左照明系１０Ｌ及び右照明系１０Ｒは、それぞれ左受光系２０Ｌ及び右受光系２０Ｒと同軸に構成されている。具体的には、観察者の左眼Ｅ０Ｌに提示される像を取得するための左受光系２０Ｌには、例えばハーフミラーからなるビームスプリッタ１１Ｌが斜設されている。ビームスプリッタ１１Ｌは、左受光系２０Ｌの光路に左照明系１０Ｌの光路を結合している。左照明系１０Ｌから出力された照明光は、ビームスプリッタ１１Ｌにより反射され、左受光系２０Ｌと同軸で被検眼Ｅを照明する。同様に、観察者の右眼Ｅ０Ｒに提示される像を取得するための右受光系２０Ｒには、右受光系２０Ｒの光路に右照明系１０Ｒの光路を結合するビームスプリッタ１１Ｒが斜設されている。
【００３１】
左受光系２０Ｌ（右受光系２０Ｒ）の光軸に対する照明光の位置を変更可能に構成することができる。この構成は、例えば、従来の眼科用手術顕微鏡と同様に、ビームスプリッタ１１Ｌ（ビームスプリッタ１１Ｒ）に対する照明光の照射位置を変更するための手段を設けることにより実現される。
【００３２】
本例では、対物レンズ２１Ｌと被検眼Ｅとの間にビームスプリッタ１１Ｌが配置されているが、照明光の光路が左受光系２０Ｌに結合される位置は、左受光系２０Ｌの任意の位置でよい。同様に、対物レンズ２１Ｒと被検眼Ｅとの間にビームスプリッタ１１Ｒが配置されているが、照明光の光路が右受光系２０Ｒに結合される位置は、右受光系２０Ｒの任意の位置でよい。
【００３３】
（受光系２０）
本実施形態では、左右一対の左受光系２０Ｌ及び右受光系２０Ｒが設けられている。左受光系２０Ｌは、観察者の左眼Ｅ０Ｌに提示される像を取得するための構成を有し、右受光系２０Ｒは、右眼Ｅ０Ｒに提示される像を取得するための構成を有する。左受光系２０Ｌと右受光系２０Ｒは同じ構成を備える。左受光系２０Ｌ（右受光系２０Ｒ）は、対物レンズ２１Ｌ（対物レンズ２１Ｒ）と、結像レンズ２２Ｌ（結像レンズ２２Ｒ）と、撮像素子２３Ｌ（撮像素子２３Ｒ）とを含む。
【００３４】
なお、結像レンズ２２Ｌ（結像レンズ２２Ｒ）が設けられていない構成を適用することも可能である。本実施形態のように結像レンズ２２Ｌ（結像レンズ２２Ｒ）が設けられている場合、対物レンズ２１Ｌ（対物レンズ２１Ｒ）と結像レンズ２２Ｌ（結像レンズ２２Ｒ）との間をアフォーカルな光路（平行光路）とすることができる。それにより、フィルタ等の光学素子を配置することや、光路結合部材を配置して他の光学系からの光路を結合することが容易になる（すなわち、光学的構成の自由度や拡張性が向上される）。
【００３５】
対物光軸ＡＬ１は、左受光系２０Ｌの対物レンズ２１Ｌの光軸を示し、対物光軸ＡＲ１は、右受光系２０Ｒの対物レンズ２１Ｒの光軸を示す。撮像素子２３Ｌ（撮像素子２３Ｒ）は、例えばＣＣＤイメージセンサやＣＭＯＳイメージセンサ等のエリアセンサである。
【００３６】
以上は、被検眼Ｅの後眼部（眼底）を観察するときの受光系２０の構成である（図３）。一方、前眼部を観察するときには、図４に示すように、前置レンズ９０が被検眼Ｅの直前から退避され、収納部７４に収納される。対物レンズ２１Ｌ（対物レンズ２１Ｒ）に対して被検眼Ｅ側の位置に、フォーカスレンズ２４Ｌ（フォーカスレンズ２４Ｒ）とウェッジプリズム２５Ｌ（ウェッジプリズム２５Ｒ）とが配置される。本例のフォーカスレンズ２４Ｌ（フォーカスレンズ２４Ｒ）は凹レンズであり、対物レンズ２１Ｌ（対物レンズ２１Ｒ）の焦点距離を延長するように作用する。ウェッジプリズム２５Ｌ（ウェッジプリズム２５Ｒ）は、左受光系２０Ｌ（右受光系２０Ｒ）の光路（対物光軸ＡＬ１（ＡＲ１））を所定角度だけ外側に偏向する（符号ＡＬ２及びＡＲ２で示す）。このように、フォーカスレンズ２４Ｌ及びウェッジプリズム２５Ｌが左受光系２０Ｌに配置され、かつ、フォーカスレンズ２４Ｒ及びウェッジプリズム２５Ｒが右受光系２０Ｒに配置される。それにより、後眼部観察用の焦点位置Ｆ１から前眼部観察用の焦点位置Ｆ２に切り替えられる。
【００３７】
フォーカスレンズとして凸レンズを用いることが可能である。その場合、フォーカスレンズは、後眼部観察時に光路に配置され、前眼部観察時に光路から退避される。フォーカスレンズの挿入／退避によって焦点距離を切り替える代わりに、例えば光軸方向に移動可能なフォーカスレンズを設けることにより焦点距離を連続的又は段階的に変更できるように構成することが可能である。
【００３８】
図４に示す例では、ウェッジプリズム２５Ｌ、２５Ｒの基底方向は外側である（つまりベースアウト配置である）が、ベースイン配置のウェッジプリズムを用いることができる。その場合、ウェッジプリズムは、後眼部観察時に光路に配置され、前眼部観察時に光路から退避される。ウェッジプリズムの挿入／退避によって光路の方向を切り替える代わりに、プリズム量（及びプリズム方向）が可変なプリズムを設けることにより光路の向きを連続的又は段階的に変更できるように構成することが可能である。
【００３９】
（接眼系３０）
本実施形態では、左右一対の左接眼系３０Ｌ及び右接眼系３０Ｒが設けられている。左接眼系３０Ｌは、接眼部３０Ｌａに設けられている。右接眼系３０Ｒは、接眼部３０Ｒａに設けられている。左接眼系３０Ｌは、左受光系２０Ｌにより取得された被検眼Ｅの像を観察者の左眼Ｅ０Ｌに提示するための構成を有し、右接眼系３０Ｒは、右受光系２０Ｒにより取得された被検眼Ｅの像を右眼Ｅ０Ｒに提示するための構成を有する。左接眼系３０Ｌと右接眼系３０Ｒは同じ構成を備える。左接眼系３０Ｌ（右接眼系３０Ｒ）は、左表示部３１Ｌ（右表示部３１Ｒ）と、左接眼レンズ系３２Ｌ（右接眼レンズ系３２Ｒ）とを含む。
【００４０】
左表示部３１Ｌ（右表示部３１Ｒ）は、例えばＬＣＤ等のフラットパネルディスプレイである。左表示部３１Ｌ（右表示部３１Ｒ）の表示面のサイズは、例えば（対角線長）７インチ以下とされる。なお、左接眼レンズ系３２Ｌ及び右接眼レンズ系３２Ｒの構成や機構の配置を工夫することにより、７インチを超える画面サイズや小サイズの左表示部３１Ｌ及び右表示部３１Ｒを適用することができる。
【００４１】
後述のように、左接眼系３０Ｌと右接眼系３０Ｒとの間隔を変更することが可能である。それにより、術者等の観察者の眼幅に応じて左接眼系３０Ｌと右接眼系３０Ｒとの間隔を調整することができる。また、左接眼系３０Ｌと右接眼系３０Ｒとの相対的向きを変更することが可能である。つまり、左接眼系３０Ｌの光軸と右接眼系３０Ｒの光軸とがなす角度を変更することが可能である。それにより、両眼（左眼Ｅ０Ｌ及び右眼Ｅ０Ｒ）の輻輳を誘発することができ、観察者による立体視を支援することができる。
【００４２】
（照射系４０）
照射系４０は、前述した「他の眼科装置」としての機能を実現するための光を、受光系２０の対物光軸（ＡＬ１及びＡＲ１、並びにＡＬ２及びＡＲ２）と異なる方向から被検眼Ｅに照射する。本例の照射系４０は、ＯＣＴのための光（測定光）と、レーザ治療のための光（照準光、治療用レーザ光）とを被検眼Ｅに照射する。
【００４３】
照射系４０は、光スキャナ４１と、結像レンズ４２と、リレーレンズ４３と、偏向ミラー４４と、コリメートレンズ５２Ａ、５２Ｂと、光路結合部材５３と、ＯＣＴ系６０と、レーザ治療系８０とを含む。光スキャナ４１には、ＯＣＴ系６０及びレーザ治療系８０からの光が導かれる。
【００４４】
ＯＣＴ系６０からの光（測定光）は、光ファイバ５１Ａにより導かれ、そのファイバ端面から出射する。このファイバ端面に臨む位置には、コリメートレンズ５２Ａが配置されている。コリメートレンズ５２Ａにより平行光束とされた測定光は、ＯＣＴ用光路とレーザ治療用光路とを結合する光路結合部材５３に導かれる。一方、レーザ治療系８０からの光（照準光、治療用レーザ光）は、光ファイバ５１Ｂにより導かれ、そのファイバ端面から出射する。このファイバ端面に臨む位置には、コリメートレンズ５２Ｂが配置されている。コリメートレンズ５２Ｂにより平行光束とされた測定光は、光路結合部材５３に導かれる。
【００４５】
ＯＣＴのための光の波長とレーザ治療のための光の波長とが異なる場合、光路結合部材５３としてダイクロイックミラーを用いることができる。典型的には、ＯＣＴのための光として１０５０ｎｍ程度の中心波長を備える広帯域光を利用し、かつ、レーザ治療のための光として６３５ｎｍ程度の波長のレーザ光を用いることができる（照準光としては例えば任意の可視光を用いることができる）。前眼部を観察する場合と後眼部を観察する場合とで、ＯＣＴのための光の波長を変更することが可能である。例えば、前眼部を観察する場合のＯＣＴのための光として１０５０ｎｍ程度の中心波長を備える広帯域光を利用し、後眼部を観察する場合のＯＣＴのための光として１０５０ｎｍより長波長の中心波長を備える広帯域光を利用することができる。
【００４６】
他方、双方の波長が実質的に同じ場合や近い場合には、光路結合部材５３としてハーフミラーを用いることが可能である。他の例として、ＯＣＴを行うタイミングとレーザ治療を行うタイミングとが異なる場合には、クイックリターンミラー等の光路切替部材を光路結合部材５３として用いることが可能である。図３等に示す例では、ＯＣＴ系６０からの測定光は光路結合部材５３を透過して光スキャナ４１に入射し、レーザ治療系８０からの光は光路結合部材５３に反射されて光スキャナ４１に入射する。
【００４７】
光スキャナ４１は、２次元光スキャナであり、水平方向（ｘ方向）へ光を偏向するｘスキャナ４１Ｈと、垂直方向（ｙ方向）へ光を偏向するｙスキャナ４１Ｖとを含む。ｘスキャナ４１Ｈ及びｙスキャナ４１Ｖは、それぞれ任意の形態の光スキャナであってよく、例えばガルバノミラーが使用される。光スキャナ４１は、例えば、コリメートレンズ５２Ａ及び５２Ｂのそれぞれの射出瞳位置又はその近傍位置に配置される。更に、光スキャナ４１は、例えば、結像レンズ４２の入射瞳位置又はその近傍位置に配置される。
【００４８】
本例のように２つの１次元光スキャナを組み合わせて２次元光スキャナを構成する場合、２つの１次元光スキャナは所定距離（例えば１０ｍｍ程度）だけ離れて配置される。それにより、例えば、いずれかの１次元光スキャナを上記射出瞳位置及び／又は上記入射瞳位置に配置することができる。
【００４９】
結像レンズ４２は、光スキャナ４１を通過した平行光束（測定光、照準光、治療用レーザ光）を一旦結像させる。更に、この光を被検眼Ｅ（眼底、角膜等の観察部位）において再結像させるために、この光をリレーレンズ４３によりリレーし、偏向ミラー４４により被検眼Ｅに向けて反射する。
【００５０】
照射系４０により導かれてきた光が受光系２０の対物光軸（ＡＬ１及びＡＲ１、並びにＡＬ２及びＡＲ２）と異なる方向から被検眼Ｅに照射されるように、偏向ミラー４４の位置は予め決定されている。本例では、互いの対物光軸が非平行に配置された左受光系２０Ｌと右受光系２０Ｒとの間の位置に偏向ミラー４４が配置されている。このような配置を可能にする要因の一つに、リレーレンズ４３を配置したことによる光学的構成の自由度の向上がある。また、例えば、水平方向の光スキャナ（本例ではｘスキャナ４１Ｈ）と共役な位置と、対物レンズ２１Ｌ及び対物レンズ２１Ｒとの間の距離を十分に小さく設計することが可能となるため、装置の小型化を図ることができる。
【００５１】
一般に、光スキャナ４１によるスキャン可能範囲（スキャン可能角度）は制限されているので、焦点距離が可変な結像レンズ４２（又は結像レンズ系）を適用することによってスキャン可能範囲を拡大することが可能である。その他にも、スキャン可能範囲を拡大するための任意の構成を適用することが可能である。
【００５２】
（ＯＣＴ系６０）
図５に、ＯＣＴ系６０の構成の例を示す。ＯＣＴ系６０は、ＯＣＴを実行するための干渉光学系を含む。図５に示す光学系は、スウェプトソースＯＣＴの例であり、波長走査型（波長掃引型）光源からの光を測定光と参照光とに分割し、被検眼Ｅからの測定光の戻り光と参照光路を経由した参照光とを干渉させて干渉光を生成し、この干渉光を検出する。干渉光学系による干渉光の検出結果（検出信号）は、干渉光のスペクトルを示す信号であり、制御部１００に送られる。
【００５３】
光源ユニット６１は、一般的なスウェプトソースタイプのＯＣＴ装置と同様に、出射光の波長を走査（掃引）可能な波長走査型（波長掃引型）光源を含む。光源ユニット６１は、人眼では視認できない近赤外の波長帯において、出力波長を時間的に変化させる。
【００５４】
光源ユニット６１から出力された光Ｌ０は、光ファイバｆ１によりファイバカプラ６２に導かれて測定光ＬＳと参照光ＬＲとに分割される。
【００５５】
測定光ＬＳは、光ファイバｆ２により導かれてファイバ端面から出射され、コリメートレンズ６３により平行光束とされ、コーナーキューブ６４に導かれる。コーナーキューブ６４は、測定光ＬＳの進行方向を逆方向に折り返す。コーナーキューブ６４は、測定光ＬＳの入射光路及び出射光路に沿う方向に移動可能とされ、それにより測定光ＬＳの光路の長さが変更される。なお、コーナーキューブ６４と同様の手段が、参照光ＬＲの光路に設けられ、参照光ＬＲの光路の長さを変更するようにしてもよい。
【００５６】
コーナーキューブ６４を経由した測定光ＬＳは、偏向ミラー６５により偏向され、コリメートレンズ６６により光ファイバ５１Ａのファイバ端面に集光され、上記の経路を経由して被検眼Ｅに照射される。測定光ＬＳは、被検眼Ｅの様々な深さ位置において反射・散乱される。被検眼Ｅからの測定光ＬＳの戻り光は、反射光や後方散乱光を含み、往路と同じ経路を逆向きに進行してファイバカプラ６２に導かれ、光ファイバｆ３を経由してファイバカプラ６７に到達する。
【００５７】
一方、ファイバカプラ６２により生成された参照光ＬＲは、光ファイバｆ４によりファイバカプラ６７に導かれる。ファイバカプラ６７は、光ファイバｆ３により導かれてきた測定光ＬＳと、光ファイバｆ４により導かれてきた参照光ＬＲとを合成して（干渉させて）干渉光を生成する。ファイバカプラ６７は、所定の分岐比（例えば１：１）でこの干渉光を分割することにより、一対の干渉光ＬＣを生成する。ファイバカプラ６７から出射した一対の干渉光ＬＣは、それぞれ光ファイバｆ５、ｆ６により検出器６８に導かれる。
【００５８】
検出器６８は、例えば一対の干渉光ＬＣをそれぞれ検出する一対のフォトディテクタを含み、これらによる検出結果の差分を出力するバランスドフォトダイオード（Ｂａｌａｎｃｅｄ  Ｐｈｏｔｏ  Ｄｉｏｄｅ）である。検出器６８は、その検出結果（検出信号）を制御部１００に送る。
【００５９】
本例ではスウェプトソースＯＣＴが適用されているが、他のタイプのＯＣＴ、例えばスペクトラルドメインＯＣＴを適用することが可能である。
【００６０】
（レーザ治療系８０）
図６に、レーザ治療系８０の構成例を示す。レーザ治療系８０は、レーザ治療を行うための構成を含む。特に、レーザ治療系８０は、被検眼Ｅに照射される光を発生する。レーザ治療系８０は、照準光源８１Ａと、治療光源８１Ｂと、ガルバノミラー８２と、遮光板８３とを含む。なお、これら以外の部材をレーザ治療系８０に設けることができる。例えば、光ファイバ５１Ｂの直前位置に、レーザ治療系８０により発生された光を光ファイバ５１Ｂの端面に入射させる光学素子（レンズ等）を設けることができる。
【００６１】
照準光源８１Ａは、レーザ治療を施す部位に照準を合わせるための照準光ＬＡを発生する。照準光源８１Ａとしては任意の光源が用いられる。本実施形態では、被検眼Ｅの撮影画像を観察しつつ照準を合わせる構成が適用されるので、撮像素子２３（撮像素子２３Ｌ及び２３Ｒ）が感度を有する波長帯の光を発する光源（レーザ光源、発光ダイオード等）が照準光源８１Ａとして用いられる。なお、目視観察により照準合わせを行う構成が適用される場合には、照準光ＬＡとして可視光が用いられる。照準光ＬＡは、ガルバノミラー８２に導かれる。
【００６２】
治療光源８１Ｂは、治療用レーザ光（治療光ＬＴ）を発する。治療光ＬＴは、その用途に応じて可視レーザ光でも不可視レーザ光でもよい。また、治療光源８１Ｂは、異なる波長のレーザ光を発する単一のレーザ光源又は複数のレーザ光源であってよい。治療光ＬＴは、ガルバノミラー８２に導かれる。
【００６３】
照準光ＬＡと治療光ＬＴは、ガルバノミラー８２の反射面の同じ位置に到達するようになっている。なお、照準光ＬＡと治療光ＬＴをまとめて「照射光」と呼ぶことがある。ガルバノミラー８２（の反射面）の向きは、少なくとも、照射光を光ファイバ５１Ｂに向けて反射させる向き（照射用向き）と、照射光を遮光板８３に向けて反射させる向き（停止用向き）とに変更される。
【００６４】
ガルバノミラー８２が停止用向きに配置されている場合、照射光は遮光板８３に到達する。遮光板８３は、例えば照射光を吸収する材質及び／又は形態からなる部材であり、遮光作用を有する。
【００６５】
本実施形態では、照準光源８１Ａと治療光源８１Ｂは、それぞれ連続的に光を発生する。そして、ガルバノミラー８２を照射用向きに配置させることで、照射光を被検眼Ｅに照射させる。また、ガルバノミラー８２を停止用向きに配置させることで、被検眼Ｅに対する照射光の照射を停止させる。他の実施形態において、照準光源８１Ａ及び／又は治療光源８１Ｂは、断続的に光を発生可能に構成されてよい。すなわち、照準光源８１Ａ及び／又は治療光源８１Ｂは、パルス光を発生可能に構成されてよい。そのためのパルス制御は制御部１００により実行される。この構成が適用される場合、ガルバノミラー８２及び遮光板８３を設ける必要はない。
【００６６】
（制御部１００）
制御部１００は、眼科用手術顕微鏡１の各部の制御を実行する（図７参照）。制御部１００は、照明系１０、撮像素子２３、表示部３１、マイクロスイッチ７９、光スキャナ４１、ＯＣＴ系６０、レーザ治療系８０等を制御する。照明系１０に対する制御の例として、光源の点灯、消灯、光量調整、絞りの調整、スリット照明が可能な場合にはスリット幅の調整などがある。撮像素子２３に対する制御の例として、露光調整やゲイン調整や撮影レート調整などがある。
【００６７】
制御部１００は、各種の情報を表示部３１（左表示部３１Ｌ、右表示部３１Ｒ）に表示させる。例えば、制御部１００は、撮像素子２３Ｌにより取得された画像（又はそれを処理して得られた画像）を左表示部３１Ｌに表示させ、かつ、撮像素子２３Ｒにより取得された画像（又はそれを処理して得られた画像）を右表示部３１Ｒに表示させる。また、制御部１００は、左表示部３１Ｌ、右表示部３１Ｒや図示しない別の表示部にグラフィカルユーザインターフェース（ＧＵＩ）を表示させることが可能である。ＧＵＩには、例えば、光学系の設定を変更するための操作アイコンを含む操作画面や、撮像素子２３Ｌ、２３Ｒにより取得された画像（又はそれを処理して得られた画像）が表示される。
【００６８】
制御部１００は、マイクロスイッチ７９のスイッチ状態を検出することにより、前置レンズ９０が収納部７４に収納されているか否かを判定する。本実施形態では、マイクロスイッチ７９がスイッチオフ状態であるとき、制御部１００は、前置レンズ９０が対物レンズ２１Ｌ、２１Ｒと被検眼Ｅとの間に配置されていると判断する。マイクロスイッチ７９がスイッチオン状態であるとき、制御部１００は、前置レンズ９０が収納部７４に収納されていると判断する。制御部１００は、マイクロスイッチ７９のスイッチ状態に応じて、眼科用手術顕微鏡１の各部を制御することが可能である。
【００６９】
光スキャナ４１に対する制御の例として、測定光ＬＳの偏向制御や、照準光ＬＡ及び／又は治療光ＬＴの偏向制御などがある。測定光ＬＳの偏向制御として、例えば予め設定されたＯＣＴスキャンパターン（偏向パターン）に応じた複数の位置に測定光ＬＳが照射されるように、測定光ＬＳを順次に偏向する制御などがある。照準光ＬＡ及び／又は治療光ＬＴの偏向制御として、例えば予め設定されたレーザ治療パターン（偏向パターン）に応じた複数の位置に照準光ＬＡ及び／又は治療光ＬＴが照射されるように、照準光ＬＡ及び／又は治療光ＬＴを順次に偏向する制御などがある。
【００７０】
ＯＣＴ系６０に含まれる制御対象としては、光源ユニット６１、検出器６８などがある。レーザ治療系８０に含まれる制御対象としては、照準光源８１Ａ、治療光源８１Ｂ、ガルバノミラー８２などがある。
【００７１】
更に、制御部１００は、各種の機構を制御する。そのような機構としては、ステレオ角変更部２０Ａ、合焦部２４Ａ、光路偏向部２５Ａ、間隔変更部３０Ａ、及び向き変更部３０Ｂが設けられている。また、制御部１００は、光路長変更部６０Ａを制御することが可能である。
【００７２】
制御部１００は、プロセッサを含む。プロセッサの機能は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路により実現される。制御部１００は、例えば、記憶回路や記憶装置に格納されているプログラムを読み出し実行することで、実施形態に係る機能を実現する。
【００７３】
ステレオ角変更部２０Ａは、左受光系２０Ｌと右受光系２０Ｒとを相対的に回転移動する。すなわち、ステレオ角変更部２０Ａは、互いの対物光軸（例えばＡＬ１とＡＲ１）がなす角度を変更するように左受光系２０Ｌと右受光系２０Ｒとを相対移動させる。この相対移動は、例えば、左受光系２０Ｌと右受光系２０Ｒとを反対の回転方向に同じ角度だけ移動させるものである。この移動態様においては、互いの対物光軸（例えばＡＬ１とＡＲ１）がなす角の二等分線の向きは一定である。一方、当該二等分線の向きが変化するように上記相対移動を行うことも可能である。
【００７４】
合焦部２４Ａは、左右のフォーカスレンズ２４Ｌ及び２４Ｒを光路に対して挿入／退避させる。合焦部２４Ａは、左右のフォーカスレンズ２４Ｌ及び２４Ｒを同時に挿入／退避させるように構成されていてよい。他の例において、合焦部２４Ａは、左右のフォーカスレンズ２４Ｌ及び２４Ｒを（同時に）光軸方向に移動させることによって焦点位置を変更するように構成されてよい。或いは、左右のフォーカスレンズ２４Ｌ及び２４Ｒの屈折力を（同時に）変更することによって焦点距離を変更するように構成されてよい。
【００７５】
光路偏向部２５Ａは、左右のウェッジプリズム２５Ｌ及び２５Ｒを光路に対して挿入／退避させる。光路偏向部２５Ａは、左右のウェッジプリズム２５Ｌ及び２５Ｒを同時に挿入／退避させるように構成されていてよい。他の例において、光路偏向部２５Ａは、左右のウェッジプリズム２５Ｌ及び２５Ｒのプリズム量（及びプリズム方向）を（同時に）変更することによって左受光系２０Ｌ及び右受光系２０Ｒの光路の向きを変更するように構成されてよい。
【００７６】
間隔変更部３０Ａは、左接眼系３０Ｌ及び右接眼系３０Ｒの間隔を変更する。間隔変更部３０Ａは、互いの光軸の相対的向きを変化させずに左接眼系３０Ｌ及び右接眼系３０Ｒを相対的に移動するように構成されてよい。
【００７７】
向き変更部３０Ｂは、左接眼系３０Ｌ及び右接眼系３０Ｒの相対的向きを変更する。向き変更部３０Ｂは、互いの光軸がなす角度を変更するように左接眼系３０Ｌと右接眼系３０Ｒとを相対移動させる。この相対移動は、例えば、左接眼系３０Ｌと右接眼系３０Ｒとを反対の回転方向に同じ角度だけ移動させるものである。この移動態様においては、互いの光軸がなす角の二等分線の向きは一定である。一方、当該二等分線の向きが変化するように上記相対移動を行うことも可能である。
【００７８】
光路長変更部６０Ａは、参照光ＬＲの光路長及び測定光ＬＳの光路長の少なくとも一方を変更することにより参照光ＬＲの光路長と測定光ＬＳの光路長との差を変更する。本実施形態では、光路長変更部６０Ａは、コーナーキューブ６４とコーナーキューブ６４を測定光ＬＳの光路に沿って移動させる移動機構とを含む。制御部１００からの制御を受けた移動機構が測定光ＬＳの光路に沿ってコーナーキューブ６４を移動させて測定光ＬＳの光路長を変更することにより、参照光ＬＲの光路長と測定光ＬＳの光路長との差が変更される。なお、光路長変更部６０Ａは、互いに光路長が異なる複数の測定光路を設け、制御部１００からの制御を受け、複数の測定光路の１つを選択するように構成されていてもよい。
【００７９】
また、光路長変更部６０Ａは、参照光ＬＲの光路長を変更するように構成されていてもよい。すなわち、光路長変更部６０Ａは、参照光ＬＲの光路に設けられたコーナーキューブとコーナーキューブを参照光ＬＲの光路に沿って移動させる移動機構とを含んでもよい。制御部１００からの制御を受けた移動機構が参照光ＬＲの光路に沿ってコーナーキューブを移動させて参照光ＬＲの光路長を変更することにより、参照光ＬＲの光路長と測定光ＬＳの光路長との差が変更される。なお、光路長変更部６０Ａは、互いに光路長が異なる複数の参照光路を設け、制御部１００からの制御を受け、複数の参照光路の１つを選択するように構成されていてもよい。
【００８０】
（データ処理部２００）
データ処理部２００は、各種のデータ処理を実行する。このデータ処理には、画像を形成する処理や、画像を加工する処理などが含まれる。また、データ処理部２００は、画像や検査結果や測定結果の解析処理や、被検者に関する情報（電子カルテ情報等）に関する処理を実行可能であってよい。データ処理部２００には、変倍処理部２１０と、ＯＣＴ画像形成部２２０とが含まれる。
【００８１】
変倍処理部２１０は、撮像素子２３により取得された画像を拡大する。この処理は、いわゆるデジタルズーム処理であり、撮像素子２３により取得された画像の一部を切り取る処理と、その部分の拡大画像を作成する処理とを含む。画像の切り取り範囲は、観察者により又は制御部１００により設定される。変倍処理部２１０は、左受光系２０Ｌの撮像素子２３Ｌにより取得された画像（左画像）と、右受光系２０Ｒの撮像素子２３Ｒにより取得された画像（右画像）とに対して、同じ処理を施す。それにより、観察者の左眼Ｅ０Ｌと右眼Ｅ０Ｒとに同じ倍率の画像が提示される。
【００８２】
なお、このようなデジタルズーム機能に加えて、又はそれの代わりに、いわゆる光学ズーム機能を設けることが可能である。光学ズーム機能は、左受光系２０Ｌ及び右受光系２０Ｒのそれぞれに変倍レンズ（変倍レンズ系）を設けることにより実現される。具体例として、変倍レンズを（選択的に）光路に対して挿入／退避する構成や、変倍レンズを光軸方向に移動させる構成がある。光学ズーム機能に関する制御は制御部１００によって実行される。
【００８３】
ＯＣＴ画像形成部２２０は、ＯＣＴ系６０の検出器６８により得られる干渉光ＬＣの検出結果に基づいて、被検眼得の画像を形成する。制御部１００は、検出器６８から順次に出力される検出信号をＯＣＴ画像形成部２２０に送る。ＯＣＴ画像形成部２２０は、例えば一連の波長走査毎に（Ａライン毎に）、検出器６８により得られた検出結果に基づくスペクトル分布にフーリエ変換等を施すことにより、各Ａラインにおける反射強度プロファイルを形成する。更に、ＯＣＴ画像形成部２２０は、各Ａラインプロファイルを画像化することにより画像データを形成する。それにより、Ｂスキャン像（断面像）やボリュームデータ（３次元画像データ）が得られる。
【００８４】
データ処理部２００は、ＯＣＴ画像形成部２２０により形成された画像（ＯＣＴ画像）を解析する機能を備えていてよい。この解析機能としては、網膜厚解析や、正常眼との比較解析などがある。このような解析機能は、公知のアプリケーションを用いて実行される。また、データ処理部２００は、受光系２０により取得された画像を解析する機能を備えていてよい。また、データ処理部２００は、受光系２０により取得された画像の解析とＯＣＴ画像の解析とを組み合わせた解析機能を備えていてもよい。
【００８５】
データ処理部２００は、プロセッサを含む。プロセッサの機能は、例えば、ＣＰＵ、ＧＰＵ、ＡＳＩＣ、プログラマブル論理デバイス等の回路により実現される。データ処理部２００は、例えば、記憶回路や記憶装置に格納されているプログラムを読み出し実行することで、実施形態に係る機能を実現する。
【００８６】
（ユーザインターフェイス３００）
ユーザインターフェイス（ＵＩ）３００は、観察者等と眼科用手術顕微鏡１との間で情報のやりとりを行うための機能を備える。ユーザインターフェイス３００は、表示デバイスと操作デバイス（入力デバイス）とを含む。表示デバイスは、表示部３１を含んでよく、それ以外の表示デバイスを含んでもよい。操作デバイスは、各種のハードウェアキー及び／又はソフトウェアキーを含む。操作デバイスの少なくとも一部と表示デバイスの少なくとも一部とを一体的に構成することが可能である。タッチパネルディスプレイはその一例である。
【００８７】
（通信部４００）
通信部４００は、他の装置に情報を送信する処理と、他の装置から送られた情報を受信する処理とを行う。通信部４００は、既定のネットワーク（ＬＡＮ、インターネット等）に準拠した通信デバイスを含んでいてよい。例えば、通信部４００は、医療機関内に設けられたＬＡＮを介して、電子カルテデータベースや医用画像データベースから情報を取得する。また、外部モニタが設けられている場合、通信部４００は、眼科用手術顕微鏡１により取得される画像（受光系２０により取得される画像、ＯＣＴ画像等）を、実質的にリアルタイムで外部モニタに送信することができる。
【００８８】
受光系２０及び接眼系３０は、実施形態に係る「観察系」の一例である。左照明系１０Ｌ、左受光系２０Ｌ及び左接眼系３０Ｌは、実施形態に係る「左観察系」の一例である。右照明系１０Ｒ、右受光系２０Ｒ及び右接眼系３０Ｒは、実施形態に係る「右観察系」の一例である。参照光ＬＲの光路に配置された光学素子は、実施形態に係る「参照アーム」の一例である。測定光ＬＳの光路に配置された光学素子は、実施形態に係る「測定アーム」の一例である。収納部７４は、実施形態に係る「所定の退避位置に前置レンズを保持する保持部」の一例である。マイクロスイッチ７９は、実施形態に係る「前置レンズが所定の退避位置から移動されたことを検出する検出部」の一例である。ＯＣＴ系６０は、実施形態に係る「ＯＣＴ光学系」の一例である。
【００８９】
［動作］
図８に、実施形態に係る眼科用手術顕微鏡１の動作例のフロー図を示す。図８は、被検眼Ｅの前眼部を観察するための前眼部観察モードから被検眼Ｅの眼底を観察するための眼底観察モードに移行する場合の眼科用手術顕微鏡１の動作例を表す。
【００９０】
（Ｓ１）
前眼部観察モードでは、前置レンズ９０は、対物レンズ２１Ｌ、２１Ｒと被検眼Ｅとの間から退避され、収納部７４に収納されている。それにより、マイクロスイッチ７９はスイッチオン状態とされる。前眼部観察モードにおいて、術者は、鏡筒部９と被検眼Ｅとの間の距離を調整しつつ、左接眼系３０Ｌ及び右接眼系３０Ｒを覗き込んで被検眼Ｅの前眼部を両眼で観察することができる。
【００９１】
（Ｓ２）
前眼部観察モードにおいて、術者が操作ノブ９２を把持して保持アーム９１を下方に旋回させることにより前置レンズ９０を対物レンズ２１Ｌ、２１Ｒと被検眼Ｅとの間に配置させると、マイクロスイッチ７９はスイッチオン状態からスイッチオフ状態に変化する。制御部１００は、マイクロスイッチ７９のスイッチ状態を監視しており、スイッチオン状態からスイッチオフ状態への変化を前置レンズ９０のリリース（すなわち、前置レンズ９０の収納部７４からの離脱）として検出する。前置レンズ９０のリリースが検出されなかったとき（Ｓ２：Ｎ）、眼科用手術顕微鏡１の動作はＳ１に移行し、前眼部観察モードが継続される。前置レンズ９０のリリースが検出されたとき（Ｓ２：Ｙ）、眼科用手術顕微鏡１の動作はＳ３に移行する。
【００９２】
（Ｓ３）
Ｓ２において、前置レンズ９０のリリースが検出されたとき（Ｓ２：Ｙ）、制御部１００は、ＯＣＴ系６０における測定光ＬＳの光路長と参照光ＬＲの光路長との光路長差が眼底観察用の光路長差に対応するように光路長変更部６０Ａを制御する。本実施形態では、制御部１００からの制御を受け、測定光ＬＳの光路長が所定の光路長だけ短くなるようにコーナーキューブ６４が測定光ＬＳの光路に沿って移動される。なお、参照光ＬＲの光路長を変更する場合、制御部１００からの制御を受け、参照光ＬＲの光路長が所定の光路長だけ長くなるようにコーナーキューブが参照光ＬＲの光路に沿って移動される。
【００９３】
（Ｓ４）
術者は、鏡筒部９と前置レンズ９０との間の距離を調整した後、被検眼Ｅの位置に合わせて、鏡筒部９及び前置レンズ９０を連動させて鏡筒部９及び前置レンズ９０と被検眼Ｅとの距離を調整する。なお、鏡筒部９を上下方向に移動させる移動機構が設けられている場合、制御部１００は、移動機構により鏡筒部９だけを移動させて鏡筒部９と前置レンズ９０との間の距離を調整した後、被検眼Ｅの位置に合わせて、鏡筒部９と前置レンズ９０とを一体となって被検眼Ｅとの距離を調整することが可能である。
【００９４】
（Ｓ５）
眼科用手術顕微鏡１の観察モードは、眼底観察モードに移行し、眼科用手術顕微鏡１の動作は終了する（エンド）。なお、眼底観察モードへの移行前に、制御部１００は、ＯＣＴ系６０により得られる測定光の戻り光に基づく干渉光により得られる眼底の断層像の表示部３１における表示位置が所定の位置に表示されるように参照光の光路長と測定光の光路長とを調整することが可能である。眼底観察モードにおいて、術者は、左接眼系３０Ｌ及び右接眼系３０Ｒを覗き込んで被検眼Ｅの眼底を両眼で観察することができる。
【００９５】
図９に、実施形態に係る眼科用手術顕微鏡１の他の動作例のフロー図を示す。図９は、被検眼Ｅの眼底を観察するための眼底観察モードから被検眼Ｅの前眼部を観察するための前眼部観察モードに移行する場合の眼科用手術顕微鏡１の動作例を表す。
【００９６】
（Ｓ１１）
眼底観察モードでは、前置レンズ９０は、対物レンズ２１Ｌ、２１Ｒと被検眼Ｅとの間に配置されている。それにより、マイクロスイッチ７９はスイッチオフ状態とされる。眼底観察モードにおいて、術者は、鏡筒部９及び前置レンズ９０と被検眼Ｅとの間の距離を調整しつつ、左接眼系３０Ｌ及び右接眼系３０Ｒを覗き込んで被検眼Ｅの眼底を両眼で観察することができる。
【００９７】
（Ｓ１２）
眼底観察モードにおいて、術者が操作ノブ９２を把持して保持アーム９１を上方に旋回させることにより前置レンズ９０を対物レンズ２１Ｌ、２１Ｒと被検眼Ｅとの間から退避させて収納部７４に収納させると、マイクロスイッチ７９はスイッチオフ状態からスイッチオン状態に変化する。制御部１００は、マイクロスイッチ７９のスイッチ状態を監視しており、スイッチオフ状態からスイッチオン状態への変化を前置レンズ９０の収納として検出する。前置レンズ９０の収納が検出されなかったとき（Ｓ１２：Ｎ）、眼科用手術顕微鏡１の動作はＳ１１に移行し、眼底観察モードが継続される。前置レンズ９０の収納が検出されたとき（Ｓ１２：Ｙ）、眼科用手術顕微鏡１の動作はＳ１３に移行する。
【００９８】
（Ｓ１３）
Ｓ１２において、前置レンズ９０の収納が検出されたとき（Ｓ１２：Ｙ）、制御部１００は、ＯＣＴ系６０における測定光ＬＳの光路長と参照光ＬＲの光路長との光路長差が前眼部観察用の光路長差に対応するように光路長変更部６０Ａを制御する。本実施形態では、制御部１００からの制御を受け、測定光ＬＳの光路長が所定の光路長だけ長くなるようにコーナーキューブ６４が測定光ＬＳの光路に沿って移動される。なお、参照光ＬＲの光路長を変更する場合、制御部１００からの制御を受け、参照光ＬＲの光路長が所定の光路長だけ短くなるようにコーナーキューブが参照光ＬＲの光路に沿って移動される。
【００９９】
（Ｓ１４）
術者は、被検眼Ｅの位置に合わせて、鏡筒部９と被検眼Ｅとの距離を調整する。なお、鏡筒部９を上下方向に移動させる移動機構が設けられている場合、制御部１００は、被検眼Ｅの位置に合わせて、移動機構により鏡筒部９を移動させて鏡筒部９と被検眼Ｅとの距離を調整することが可能である。
【０１００】
（Ｓ１５）
眼科用手術顕微鏡１の観察モードは、前眼部観察モードに移行し、眼科用手術顕微鏡１の動作は終了する（エンド）。なお、前眼部観察モードへの移行前に、制御部１００は、ＯＣＴ系６０により得られる測定光の戻り光に基づく干渉光により得られる眼底の断層像の表示部３１における表示位置が所定の位置に表示されるように参照光の光路長と測定光の光路長とを調整することが可能である。前眼部観察モードにおいて、術者は、左接眼系３０Ｌ及び右接眼系３０Ｒを覗き込んで被検眼Ｅの前眼部を両眼で観察することができる。
【０１０１】
［変形例］
（第１変形例）
上記の実施形態では、前置レンズ９０のリリースが検出されたとき、又は前置レンズ９０の収納が検出されたとき、ＯＣＴ系６０における光路長差を変更する場合について説明した。しかしながら、実施形態に係る眼科用手術顕微鏡１の動作はこれに限定されるものではない。以下では、実施形態の第１変形例に係る眼科用手術顕微鏡について、実施形態との相違点を中心に説明する。
【０１０２】
図１０に、実施形態の第１変形例に係る眼科用手術顕微鏡の制御系のブロック図の一例を示す。図１０において、図７と同様の部分には同一符号を付し、適宜説明を省略する。
【０１０３】
第１変形例に係る制御部１００ａが実施形態に係る制御部１００と異なる点は、制御部１００ａの制御対象が、光路長変更部６０Ａに代えて、波長変更部６０Ｂ、ビーム径変更部６０Ｃ、及び分散補償変更部６０Ｄが追加された点である。なお、制御部１００ａは、光路長変更部６０Ａに加えて、波長変更部６０Ｂ、ビーム径変更部６０Ｃ、及び分散補償変更部６０Ｄを制御することが可能である。
【０１０４】
波長変更部６０Ｂは、光源ユニット６１から出力される光の波長（中心波長）を変更する。具体的には、波長変更部６０Ｂは、前置レンズ９０が対物レンズと被検眼Ｅとの間に配置されたとき、光源ユニット６１から出力される光の波長を眼底用波長に変更する。また、波長変更部６０Ｂは、前置レンズ９０が対物レンズと被検眼Ｅとの間から退避されたとき、光源ユニット６１から出力される光の波長を前眼部用波長に変更する。眼底用波長は、前眼部用波長より短い波長であってよい。制御部１００は、マイクロスイッチ７９のスイッチ状態に基づいて波長変更部６０Ｂを制御することが可能である。
【０１０５】
波長変更部６０Ｂは、制御部１００ａからの制御を受け、出力する光の波長を変更可能な光源により、光源ユニット６１から出力される光の波長を変更することが可能である。また、波長変更部６０Ｂは、制御部１００ａからの制御を受け、互いに異なる波長の光を出力する複数の光源の１つが出力する光を選択するようにしてもよい。更に、波長変更部６０Ｂは、制御部１００ａからの制御を受け、光源ユニット６１から出力される光の光路に１以上の波長選択部材（フィルタ部材）を挿脱させることにより光源ユニット６１から出力される光の波長を変更してもよい。
【０１０６】
ビーム径変更部６０Ｃは、被検眼Ｅに照射される測定光ＬＳのビーム径を変更する。具体的には、ビーム径変更部６０Ｃは、前置レンズ９０が対物レンズと被検眼Ｅとの間に配置されたとき、測定光ＬＳのビーム径を眼底用ビーム径に変更する。また、ビーム径変更部６０Ｃは、前置レンズ９０が対物レンズと被検眼Ｅとの間から退避されたとき、測定光ＬＳのビーム径を前眼部用ビーム径に変更する。眼底用ビーム径は、前眼部用ビーム径より大きくてよい。制御部１００は、マイクロスイッチ７９のスイッチ状態に基づいてビーム径変更部６０Ｃを制御することが可能である。
【０１０７】
ビーム径変更部６０Ｃは、制御部１００ａからの制御を受け、ＯＣＴ系６０内のコリメートレンズを移動させることにより測定光ＬＳのビーム径を変更することが可能である。また、ビーム径変更部６０Ｃは、制御部１００ａからの制御を受け、光源ユニット６１からの光の光路又は測定光ＬＳの光路に設けられた絞りを制御することにより測定光ＬＳのビーム径を変更してもよい。更に、ビーム径変更部６０Ｃは、制御部１００ａからの制御を受け、互いにビーム径が異なる光を出力する複数の光源の１つが出力する光を選択するようにしてもよい。
【０１０８】
分散補償変更部６０Ｄは、測定光ＬＳ又は参照光ＬＲに対する分散補償を変更する。具体的には、分散補償変更部６０Ｄは、前置レンズ９０が対物レンズと被検眼Ｅとの間に配置されたとき、測定光ＬＳ及び参照光ＬＲの少なくとも一方に対して眼底用の分散補償を施す。また、ビーム径変更部６０Ｃは、前置レンズ９０が対物レンズと被検眼Ｅとの間から退避されたとき、測定光ＬＳ及び参照光ＬＲの少なくとも一方に対して前眼部用の分散補償を施す。制御部１００は、マイクロスイッチ７９のスイッチ状態に基づいて分散補償変更部６０Ｄを制御することが可能である。
【０１０９】
分散補償変更部６０Ｄは、制御部１００ａからの制御を受け、測定光ＬＳ及び参照光ＬＲの光路の少なくとも一方に対して、眼球の分散補償を行うための分散補償部材を挿脱させることにより分散補償を変更することが可能である。例えば、分散補償部材を移動する移動機構が設けられており、制御部１００ａが移動機構を制御することにより、測定光ＬＳ及び参照光ＬＲの少なくとも一方の光路に対して分散補償部材を挿脱させる。
【０１１０】
また、制御部１００ａは、マイクロスイッチ７９のスイッチ状態に対応して（すなわち、前置レンズ９０の移動に対応して）、表示手段（ユーザインターフェイス３００として設けられた表示デバイス）に表示させるＧＵＩの内容（又は表示形態）を変更することが可能である。例えば、ＧＵＩは、光スキャナ４１による光の偏向パターンのリストを含み、制御部１００ａは、マイクロスイッチ７９のスイッチ状態に対応して、表示手段に表示されるリストを変更する。具体的には、前置レンズ９０が対物レンズと被検眼Ｅとの間に配置されたとき、制御部１００ａは、表示手段に表示されるリストを眼底用の偏向パターンのリストに変更する。また、前置レンズ９０が対物レンズと被検眼Ｅとの間から退避されたとき、制御部１００ａは、表示手段に表示されるリストを前眼部用の偏向パターンのリストに変更する。制御部１００ａは、表示手段に表示させた偏向パターンのリストの中から術者等により選択された偏向パターンに基づいて光スキャナ４１を制御する。なお、制御部１００ａは、表示部３１に上記のＧＵＩを表示させ、マイクロスイッチ７９のスイッチ状態に対応して、表示部３１に表示させるＧＵＩの内容を変更するようにしてもよい。また、制御部１００ａは、表示部３１等の表示手段に上記のＧＵＩを表示させ、マイクロスイッチ７９のスイッチ状態に対応して、表示手段に表示させるＧＵＩのレイアウトを変更するようにしてもよい。
【０１１１】
なお、図１０では、制御部１００ａが、マイクロスイッチ７９のスイッチ状態に対応して、主にＯＣＴ系６０を制御する場合について説明したが、レーザ治療系８０を制御してもよい。例えば、波長変更部６０Ｂは、照準光ＬＡ及び治療光ＬＴの少なくとも一方の波長を変更してもよい。
【０１１２】
（第２変形例）
上記の実施形態又は第１変形例では、検出部としてのマイクロスイッチ７９を用いて前置レンズ９０の収納部７４からのリリースを検出する場合（すなわち、退避位置からの離脱）について説明した。しかしながら、実施形態に係る眼科用手術顕微鏡１の動作はこれに限定されるものではない。例えば、検出部は、対物レンズと被検眼Ｅとの間の所定の挿入位置への前置レンズ９０の配置や、収納部７４における所定の退避位置からの挿入位置までの間の任意の移動を検出するものであってよい。
【０１１３】
例えば、検出部が枢軸９１ｂを軸とする保持板９１ａ（前置レンズ９０）の回動を検出することにより、前置レンズ９０が対物レンズと被検眼Ｅとの間に配置されたか否かを判断するようにしてもよい。また、検出部が、対物レンズと被検眼Ｅとの間の所定の位置に前置レンズ９０が配置されたか否かを検出することにより、前置レンズ９０が対物レンズと被検眼Ｅとの間に配置されたか否かを判断するようにしてもよい。
【０１１４】
（第３変形例）
上記の実施形態又はその変形例に係る光学系の構成は図３及び図４で説明した構成に限定されるものではない。
【０１１５】
図１１に、実施形態の第３変形例に係る眼科用手術顕微鏡の光学系の構成例を示す。図１１において、図３と同様の部分には同一符号を付し、適宜説明を省略する。
【０１１６】
第３変形例に係る眼科用手術顕微鏡の光学系が図３に示す光学系と異なる点は、補助レンズ１１０Ｌ、１１０Ｒ、１１１が追加されている点である。補助レンズ１１０Ｌは、左受光系２０Ｌ（左観察系）の焦点位置と前置レンズ９０の後側焦点位置とを略一致させるために対物レンズ２１Ｌと前置レンズ９０との間の対物光軸ＡＬ１に配置されている。補助レンズ１１０Ｒは、右受光系２０Ｒ（右観察系）の焦点位置と前置レンズ９０の後側焦点位置とを略一致させるために対物レンズ２１Ｒと前置レンズ９０との間の対物光軸ＡＲ１に配置されている。補助レンズ１１１は、照射系４０の焦点位置と前置レンズ９０の後側焦点位置とを略一致させるために偏向ミラー４４と前置レンズ９０との間の照射系４０の光軸に配置されている。
【０１１７】
補助レンズ１１０Ｌ、１１０Ｒ、１１１は、それぞれの光路における挿入位置から一体となって退避可能に構成されている。例えば、対物レンズと被検眼Ｅとの間に前置レンズ９０が配置されたとき、補助レンズ１１０Ｌ、１１０Ｒ、１１１は、それぞれの光路の挿入位置に配置される。また、対物レンズと被検眼Ｅとの間から前置レンズ９０が退避されたとき、補助レンズ１１０Ｌ、１１０Ｒ、１１１は、それぞれの光路から退避される。
【０１１８】
なお、図１１では、対物レンズ２１Ｌの光軸、対物レンズ２１Ｒの光軸、及び照射系４０の光軸のそれぞれに補助レンズ１１０Ｌ、１１０Ｒ、１１１が挿脱されル場合について説明したが、実施形態に係る眼科用手術顕微鏡の構成はこれに限定されるものではない。例えば、対物レンズ２１Ｌの光軸、対物レンズ２１Ｒの光軸、及び照射系４０の光軸のうち少なくとも２つの光軸に共通の単一の補助レンズが挿脱されてもよい。
【０１１９】
このように補助レンズ１１０Ｌ、１１０Ｒ、１１１を設け、各系の焦点位置と前置レンズ９０の後側焦点位置とを略一致させるようにしたので、前置レンズ９０が対物レンズと被検眼Ｅとの間に配置された場合に、鏡筒部９と前置レンズ９０との間の距離を調整する必要がなくなる。
【０１２０】
［作用・効果］
実施形態の眼科用手術顕微鏡の作用及び効果について説明する。
【０１２１】
実施形態に係る眼科用手術顕微鏡（眼科用手術顕微鏡１）は、観察系（受光系２０、接眼系３０）と、照射系（照射系４０）と、前置レンズ（前置レンズ９０）と、制御部（制御部１００、１００ａ）とを含む。観察系は、対物レンズ（対物レンズ２１Ｌ、２１Ｒ）を介して被検眼（被検眼Ｅ）を双眼で観察するために用いられる。照射系は、被検眼に光（測定光ＬＳ、照準光ＬＡ、治療光ＬＴ）を照射するために用いられる。前置レンズは、観察系の光路及び照射系の光路に挿入可能である。制御部は、観察系の光路及び照射系の光路に挿入するための前置レンズの移動に対応して、照射系を制御する。
【０１２２】
このような構成によれば、観察系の光路及び照射系の光路に挿入可能な前置レンズの移動に対応して照射系を制御するようにしたので、手術中に前置レンズが配置された場合であっても術者（助手を含む）が照射系を調整する必要がなくなる。それにより、術者や患者への負担を軽減することが可能になる。
【０１２３】
また、実施形態に係る眼科用手術顕微鏡は、観察系の光路及び照射系の光路から外れた所定の退避位置に前置レンズを保持する保持部（収納部７４）と、前置レンズが退避位置から移動されたことを検出する検出部（マイクロスイッチ７９）と、を含み、制御部は、前置レンズの移動が検出部により検出されたことに対応して、照射系を制御してもよい。
【０１２４】
このような構成によれば、光路から外れた所定の退避位置に保持された前置レンズの移動の検出結果に基づいて照射系を制御するようにしたので、前置レンズが被検眼の直前に配置された場合でも術者が照射系を調整する必要がなくなる。それにより、術者や患者への負担を軽減することが可能になる。
【０１２５】
また、実施形態に係る眼科用手術顕微鏡では、照射系は、光の波長を変更する波長変更部（波長変更部６０Ｂ）を含み、制御部は、前置レンズの移動に対応して波長変更部を制御してもよい。
【０１２６】
このような構成によれば、前置レンズの移動に対応して照射系により被検眼に照射される光の波長を変更するようにしたので、前置レンズが被検眼の直前に配置された場合でも術者が照射系により照射される光の波長を変更する必要がなくなる。それにより、術者や患者への負担を軽減することが可能になる。
【０１２７】
また、実施形態に係る眼科用手術顕微鏡では、照射系は、光のビーム径を変更するビーム径変更部（ビーム径変更部６０Ｃ）を含み、制御部は、前置レンズの移動に対応してビーム径変更部を制御してもよい。
【０１２８】
このような構成によれば、前置レンズの移動に対応して照射系により被検眼に照射される光のビーム径を変更するようにしたので、前置レンズが被検眼の直前に配置された場合でも術者が照射系により照射される光のビーム径を変更する必要がなくなる。それにより、術者や患者への負担を軽減することが可能になる。
【０１２９】
また、実施形態に係る眼科用手術顕微鏡では、照射系は、光路に挿入可能な分散補償部材と、分散補償部材を移動する移動機構と、を含み、制御部は、前置レンズの移動に対応して移動機構を制御してもよい。
【０１３０】
このような構成によれば、前置レンズの移動に対応して光路に分散補償部材を挿脱させるようにしたので、前置レンズが被検眼の直前に配置された場合でも術者が分散補償部材の挿脱を行う必要がなくなる。それにより、術者や患者への負担を軽減することが可能になる。
【０１３１】
また、実施形態に係る眼科用手術顕微鏡では、照射系は、光コヒーレンストモグラフィ（ＯＣＴ）を行うための、測定アーム（測定光ＬＳの光路に配置された光学素子）と参照アーム（参照光ＬＲの光路に配置された光学素子）とを備えたＯＣＴ系（ＯＣＴ系６０）と、測定アーム及び参照アームの少なくとも一方の光路長を変更する光路長変更部（光路長変更部６０Ａ）を含み、制御部は、前置レンズの移動に対応して光路長変更部を制御してもよい。
【０１３２】
このような構成によれば、前置レンズの移動に対応して測定アーム及び参照アームの少なくとも一方の光路長を変更するようにしたので、前置レンズが被検眼の直前に配置された場合でも術者がＯＣＴ系を調整する必要がなくなる。それにより、術者や患者への負担を軽減することが可能になる。
【０１３３】
また、実施形態に係る眼科用手術顕微鏡では、制御部は、表示手段（表示部３１）にグラフィカルユーザインターフェース（ＧＵＩ）を表示させ、前置レンズの移動に対応して、表示手段に表示させるＧＵＩの内容を変更してもよい。
【０１３４】
このような構成によれば、前置レンズの移動に対応して、表示手段に表示させるＧＵＩの内容を変更するようにしたので、前置レンズが被検眼の直前に配置された場合でも術者によるＧＵＩに対する操作を簡素化することができる。それにより、手術時間を短縮して術者や患者への負担を軽減することが可能になる。
【０１３５】
また、実施形態に係る眼科用手術顕微鏡では、照射系は、光を偏向する光スキャナ（光スキャナ４１）を含み、ＧＵＩは、光スキャナによる光の偏向パターンのリストを含み、制御部は、前置レンズの移動に対応して、表示手段（ユーザインターフェイス３００に設けられた表示デバイス）に表示されるリストを変更してもよい。
【０１３６】
このような構成によれば、前置レンズの移動に対応して、表示手段に表示させる光スキャナによる光の偏向パターンのリストを変更するようにしたので、前置レンズが被検眼の直前に配置された場合でも術者によるＧＵＩに対する操作を簡素化することができる。それにより、手術時間を短縮して術者や患者への負担を軽減することが可能になる。
【０１３７】
また、実施形態に係る眼科用手術顕微鏡では、観察系は、対物レンズとしての左対物レンズ（対物レンズ２１Ｌ）を含む左観察系（左照明系１０Ｌ、左受光系２０Ｌ及び左接眼系３０Ｌ）と、対物レンズとしての右対物レンズ（対物レンズ２１Ｒ）を含む右観察系（右照明系１０Ｒ、右受光系２０Ｒ及び右接眼系３０Ｒ）と、を含み、左対物レンズの光軸と右対物レンズの光軸とは非平行であってもよい。
【０１３８】
このような構成によれば、グリノー式実体顕微鏡において、術者や患者への負担を軽減することが可能になる。
【０１３９】
また、実施形態に係る眼科用手術顕微鏡は、観察系の焦点位置と前置レンズの後側焦点位置とを一致させるために対物レンズと前置レンズとの間に挿入される補助レンズ（補助レンズ１１０Ｌ、１１０Ｒ、１１１）を含んでもよい。
【０１４０】
このような構成によれば、観察系と前置レンズとの間の距離を調整する必要がなくなり、術者や患者への負担をより一層軽減することが可能になる。
【０１４１】
上記の実施形態又はその変形例は、本発明を実施するための例示に過ぎない。本発明を実施しようとする者は、本発明の要旨の範囲内において任意の変形、省略、追加、置換等を施すことが可能である。
【０１４２】
上記の実施形態又はその変形例において、左接眼系３０Ｌ及び右接眼系３０Ｒのそれぞれは、接眼レンズに光束を導くものであってもよい。また、照射系４０は、被検眼Ｅのデータ収集用の光、刺激用の光、治療用の光のうち少なくとも１つを被検眼Ｅに照射するものであってよい。
【符号の説明】
【０１４３】
１  眼科用手術顕微鏡
１０  照明系
１０Ｌ  左照明系
１０Ｒ  右照明系
２０  受光系
２０Ｌ  左受光系
２０Ｒ  右受光系
２１Ｌ、２１Ｒ  対物レンズ
３０  接眼系
３０Ｌ  左接眼系
３０Ｒ  右接眼系
４０  照射系
６０  ＯＣＴ系
８０  レーザ治療系
９０  前置レンズ
１００、１００ａ  制御部
【図１】
2017217290.tif 000003
【図２Ａ】
2017217290.tif 000004
【図２Ｂ】
2017217290.tif 000005
【図２Ｃ】
2017217290.tif 000006
【図３】
2017217290.tif 000007
【図４】
2017217290.tif 000008
【図５】
2017217290.tif 000009
【図６】
2017217290.tif 000010
【図７】
2017217290.tif 000011
【図８】
2017217290.tif 000012
【図９】
2017217290.tif 000013
【図１０】
2017217290.tif 000014
【図１１】
2017217290.tif 000015